(57)【要約】      （修正有）【課題】前面に喉仏の文言を記入し、喉仏を納めることのできる位牌を提供する。【解決手段】木製球体１と、木製球体下部に凸部２と、木製四角錐札板４と、木製四角錐札板上部に凹部３を、木製四角錐札板下部に凸部６を設け、木製球体下部凸部２を、木製四角錐札板上部凹部３に嵌め込み、木製半円球固定台７と、木製半円球固定台上部に凹部を設けて、木製四角錐札板下部の凸部６を、嵌め込み固定し、前記木製四角錐札板４に左右二か所の側面に凹部を設け、底面四角形、側面四面の四角形の二枚の板で木製四角錐左側面板と木製四角錐右側面板５を形成し、木製四角錐札板４側面左右二か所の凹部に嵌め込み固定し、木製半円球固定台７の底面より空洞部を介して格納室９を設け、木製半円球固定台７の底蓋１１を備える。【選択図】図２
0003203998.tif 000002
【実用新案登録請求の範囲】
【請求項１】
木製球体と、木製球体下部に凸部を設けると共に、木製四角推札板の上部に凹部、下    部に凸部を設け、木製四角推下部凸部の上部側面左右二か所に凹部を設け、木製四角    推を底面四角形、側面四面の四角形の二枚の板を設け、木製半円球固定台上部に凹部    、木製半円球固定台の底面より空洞部を介して格納室を設け、木製半円球固定台の底    台の蓋を備えており、木製球体、木製四角推札板、木製格納室、木製四角推の二枚の    板、木製半円球固定台、木製半円球底台を合体することを特徴とする位牌。
【請求項２】
請求項１に記載の位牌であって
木製球体の凸部を木製四角推の凹部に嵌め込み固定すると共に、木製
四角推下部凸部の上部側面左右二か所の凹部に木製四角推の２枚の板を左右の四角      形の平面を正面にして底面四角形を木製四角推下部凸部左右二か所の凹部に嵌め込      み固定、木製半円球固定台上部の凹入部に木製四角推の下部の凸部を嵌め込み固定      とすることを特徴とする位牌。
【請求項３】
請求項１に記載の位牌であって
木製半円球固定台の表前面中央部に喉仏の文言を表示することを特徴
とする位牌。
【請求項４】
請求項１に記載の位牌であって
木製半円球固定台の底面より円盤球面加工して空洞部を作り、収容できる格納室を      設け、前記格納室に喉仏を納めることを特徴とする位牌。
【請求項５】
請求項４に記載の位牌であって
木製半円球固定台の底から格納室に木製四角形の蓋を嵌め込み、左右木製の杭で留      めることを特徴とする位牌。
【考案の詳細な説明】
【技術分野】
【０００１】
本考案は位牌に関する。
【背景技術】
【０００２】
特許文献１には、位牌が開示されている。
この位牌は、喉仏を強調する。最近遺骨の一部をオブジェなどに納めて、加工          し、収納して手元に置く人も多々あり、手元供養として、存在感が感じられる          時代です。前記位牌は、木製球体は宇宙、木製四角推の札板はロケットをイメ          イジし、２枚の四角推はいずれ地球に戻るイメイジで鳩の羽、半円球の木製固          定台は地球をイメイジしている、宇宙葬、月面葬、樹木葬等話題にされる時代          ですので、宇宙時代を感じさせるデザインを備えている。
【先行技術文献】
【特許文献】
【０００３】
【特許文献１】特開平７−２３８４５
【考案の概要】
【考案が解決しようとする課題】
【０００４】
上記の通り、特許文献１の位牌は故人の遺骨の収納を有している。
故人の遺骨で大切な喉仏が強調されていない。
【０００５】
本明細書で開示する技術は、上記の課題を解決するために創作された
ものである。本明細書では喉仏を強調させ、宇宙時代を感じさせるデザインの位      牌を提供す。
【課題を解決するための手段】
【０００６】
本明細書が開示する位牌は木製半円球固定台の表前面中央部に喉仏の文言を表示        と宇宙時代を感じさせるデザインを備えている。
【考案の効果】
【０００７】
上記の位牌における効果は喉仏の文言を表示することで、故人の喉仏
入りの位牌が身近にあれば喉仏の文言の普及で、若い世代にも一定の
年齢に達すれば、大切さ、重要さに感心が及び先祖、故人を供養し、
偲ぶことができる。と同時に住宅事情でなかなか、すぐには仏壇もお墓
も持てない家族も供養の機会も増える。
【図面の簡単な説明】
【０００８】
【図１】位牌の構成を示す図である。
【図２】図１に示す位牌の分解斜視図である。
【考案を実施するための形態】
【０００９】
下記に形態の実施例をのべる。
【実施例】
【００１０】
本実施例に係る位牌について、図面を参照しながら説明する。
図１に示すように、本実施例の木製球体、木製球凸部、木製
四角推の札板、木製四角推二の枚の板、木製半円球固定台、
木製半円球固定台の底面から円盤球面加工して造った空洞部
の格納室、木製四角形の底台は実施形態の特徴と、を兼ね備え
ている。
【００１１】
喉仏の文言を強調する為に木製固定台の表前面中央部に設ける、
木製半円球固定台の格納室に袋に包んだ喉仏を収納して、底面
より木製四角形底台で蓋をし、木製の留杭を左右で留める。
【００１２】
以上、本実施例の木製球体、木製四角推の札板、木製四角推
の二の枚板、木製固定台、格納室、木製四角形底台、木製
留杭は実施形態の構成を説明した。
上記の通り、本実施例では喉仏に関しては木製固定台の表前面
中央部に喉仏の文言記入し、喉仏は木製固定台空洞部の格納室
を設け、格納することを有する。
従来の位牌のように喉仏は位牌の横に置くことなく、一体的
に位牌に納めることができる。
【００１３】
上記の通り、本実施例では喉仏を強調することで、喉仏に対
する重要性、世間の関心等で、世間の認知度を高め、若い
世代にも浸透させることができる。
【符号の説明】
【００１４】
１    木製球体
２    木製凸部
３    木製凹部
４    木製四角推
５    木製四角推
６    木製凸部
７    木製固定台及び凹部
８    喉仏の文言
９    格納室
１０    木製杭
１１    底蓋
【図１】
0003203998.tif 000003
【図２】
0003203998.tif 000004
【手続補正書】
【提出日】平成28年1月25日(2016.1.25)
【手続補正１】
【補正対象書類名】実用新案登録請求の範囲
【補正対象項目名】全文
【補正方法】変更
【補正の内容】
【実用新案登録請求の範囲】
【請求項１】
木製球体と、木製球体下部に凸部と、木製四角錐札板と、木製四角錐札板
上部に凹部を、木製四角錐下部に凸部を設けたものを、木製球体下部凸部
を、木製四角錐札板上部凹部に嵌め込む。木製半円球固台と、木製半円球
固定台上部に凹部を設けて、木製四角錐札板下部の凸部を、木製半円球
固定台上部凹部に嵌め込み固定する。前記の木製半円球固定台上部の木製
四角錐札板に左右二か所の側面の凹部を設けた二か所に底面四角形、側面
四面の四角形の二枚の板で木製四角錐左側面板と木製四角錐右側面板を
形成し、木製四角錐札板側面左右二か所の凹部に嵌め込み固定する。
木製半円球固定台の底面より空洞部を介して格納室を設け、木製半円球
固定台の底蓋を備える。木製球体、木製四角錐札板、木製四角錐左
側面板と、木製四角錐右側面板、木製半円球固定台、木製格納室、木製
半円球固定台の底蓋を合体することを特徴とする位牌。
【請求項２】
請求項１に記載の位牌であって。
木製球体下部の凸部を木製四角錐札板上部の凹部に嵌め込み固定する木製四
角錐札板下部凸部の上部側面左右二か所の凹部に木製四角錐左側面板と,
木製四角錐右側面板の二枚の板を左右の四角形の平面を正面にして底面
四角形を木製四角錐札板下部凸部の上部の左右二か所の凹部に嵌め込み
固定、木製半円球固定台上部の凹部に木製四角錐札板の下部の凸部を嵌め
込み固定することを特徴とする位牌。
【請求項３】
請求項１に記載の位牌であって
木製半円球固定台の表前面中央部に喉仏の文言を表示することを特徴と
する位牌。
【請求項４】
請求項１に記載の位牌であって
木製半円球固定台の底面より円盤球面加工して空洞部を作り、収容できる
格納室を設け,前記格納室に喉仏を納めることを特徴とする位牌。
【請求項５】
請求項４に記載の位牌であって
木製半円球固定台の底から格納室に木製四角形の底蓋を嵌め込み、左右
木製の杭で留めることを特徴とする位牌。
【手続補正２】
【補正対象書類名】明細書
【補正対象項目名】全文
【補正方法】変更
【補正の内容】
【考案の詳細な説明】
【技術分野】
【０００１】
本考案は位牌に関する。
【背景技術】
【０００２】
特許文献１には、位牌が開示されている。
この位牌は、喉仏を強調する。最近遺骨の一部をオブジェなどに納めて、
加工し、収納して手元に置く人も多々あり、手元供養として、存在感が
感じられる時代です。前記位牌は、木製球体は宇宙、木製四角錐札板は
ロケットをイメイジし、２枚の木製四角錐左右側面板はいずれ地球に戻
るイメイジで鳩の羽、半円球の木製球体固定台は地球をイメイジしている、
宇宙葬、月面葬、樹木葬等話題にされる時代ですので、宇宙時代を感じ
させるデザインを備えている。
【先行技術文献】
【特許文献】
【０００３】
【特許文献１】特開平７−２３８４５
【考案の概要】
【考案が解決しようとする課題】
【０００４】
上記の通り、特許文献１の位牌は故人の遺骨の収納を有している。    
故人の遺骨で大切な喉仏が強調されていない。
【０００５】
本明細書で開示する技術は、上記の課題を解決するために創作された もので
ある。本明細書では喉仏を強調させ、宇宙時代を感じさせるデザインの
位牌を提供す。
【課題を解決するための手段】
【０００６】
本明細書が開示する位牌は木製半円球固定台の表前面中央部に喉仏の文言を
表示と宇宙時代を感じさせるデザインを備えている。      
【考案の効果】
【０００７】
上記の位牌における効果は喉仏の文言を表示することで、故人の喉仏入りの
位牌が身近にあれば喉仏の文言の普及で、若い世代にも一定の年齢に達すれ
ば、大切さ、重要さに感心が及び先祖、故人を供養し、偲ぶことができる。
と同時に住宅事情でなかなか、すぐには仏壇もお墓も持てない家族も供養
の機会も増える。
【図面の簡単な説明】
【０００８】
【図１】位牌の構成を示す図である。
【０００９】
【図２】図１に示す位牌の分解斜視図である。
【考案を実施するための形態】
【００１０】
本実施例に係る位牌について、図面を参照しながら説明する。図１に示すよ
うに、本実施例の木製球体１、木製球凸体部２、木製四角錐凹部３、木製
四角錐札板４、木製四角錐右側面板５−１、木製四角錐左側面板５−２、
木製四角錐凸部６、木製半円球固定台及び木製半円球固定台凹部７、
喉仏の文言８、格納室９、木製杭１０、底蓋１１、木製半円球固定台
の底面から円盤球面加工して造った空洞部から成る格納室、木製四角形の
底蓋は実施形態の特徴と、を兼ね備えている。
【００１１】
喉仏の文言を強調する為に木製半円球固定台の表前面中央部に喉仏の文言を
設ける、木製半円球固定台の格納室に袋に包んだ喉仏を収納して、前記
木製半円球固定台の底面を底蓋により蓋をし、木製杭で左右を留める。
【００１２】
以上、本実施例の木製球体、木製四角錐札板、木製四角錐左側面板、木製四
角錐右側面板、木製半円球固定台、格納室、底蓋、木製杭は実施形態の
構成を説明した。上記の通り、本実施例では喉仏に関しては木製半円球
固定台の表前面中央部に喉仏の文言を記入し、喉仏は木製半円球固定台
空洞部の格納室を設け、格納することを有する。従来の位牌のように
喉仏は位牌の横に置くことなく、一体的に位牌に納めることができる。
【００１３】
上記の通り、本実施例では喉仏を強調することで、喉仏に対する重要性、
世間の関心等で、世間の認知度を高め、若い世代にも浸透させることがで
きる。
【符号の説明】
【００１４】
１    木製球体      
２    木製球体凸部
３    木製四角錐凹部
４    木製四角錐札板
５    木製四角錐左右側面板
６    木製四角錐凸部
７    木製半円球固定台
及び木製半円球固定台凹部
８    喉仏の文言
９    格納室  
１０    木製杭
１１    底蓋  
【手続補正書】
【提出日】平成28年3月1日(2016.3.1)
【手続補正１】
【補正対象書類名】実用新案登録請求の範囲
【補正対象項目名】請求項１
【補正方法】変更
【補正の内容】
【請求項１】
木製球体と、木製球体下部に凸部と、木製四角錐札板と、木製四角錐札板上部
に凹部を、木製四角錐札板下部に凸部を設けたものを、木製球体下部凸部を、木
製四角錐札板上部凹部に嵌め込み、
木製半円球固定台と、木製半円球固定台上部に凹部を設けて、木製四角錐札板
下部の凸部を、木製半円球固定台上部凹部に嵌め込み固定し、
前記の木製半円球固定台上部の木製四角錐札板に左右二か所の側面の凹部を設
けた二か所に底面四角形、側面四面の四角形の二枚の板で木製四角錐左側面板と
木製四角錐右側面板を形成し、木製四角錐札板側面左右二か所の凹部に嵌め込み
固定し、
木製半円球固定台の底面より空洞部を介して格納室を設け、木製半円球固定台
の底蓋を備えることで、
木製球体、木製四角推札板、木製四角推左側面板と、木製四角推右側面板、木
製半円球固定台、木製格納室、木製半円球固定台の底蓋を合体することを特徴と
する位牌.